(57)【要約】  【課題】  比較的簡単な改良によってエチゼンクラゲ等の巨大クラゲの入網を排除し、魚類を有効に捕獲する定置網を提供することを課題としている。  【構成】  海流が流れている漁場に設置される定置網において、定置網の垣網にエチゼンクラゲ等の巨大クラゲが下流に向かって通過する開口及び開口に巨大クラゲを誘導するガイドを垣網に設けて、垣網に沿って移動してきた巨大クラゲは途中から垣網の下流方向に脱出させて入網を阻止し、魚類のみを捕獲することを特徴としている。開口の幅は巨大クラゲが通過する幅とし、１〜２メートル程度にする。  【選択図】    図１
2008228723.tif 000002
【特許請求の範囲】
【請求項１】
海流が流れている漁場に設置される定置網において、前記定置網の垣網に巨大クラゲが下流に向かって通過する開口を設けると共に該開口に巨大クラゲを誘導するガイドを設けたことを特徴とする定置網の垣網。
【請求項２】
前記開口にカバーを設けて前記垣網に沿って移動する魚が該開口を気付かないか、或いは注視しないようにしたことを特徴とする請求項１に記載の定置網の垣網。
【請求項３】
前記開口は、海面近傍から正常な巨大クラゲが遊泳する深さまでとしたことを特徴とする請求項１又は請求項２の何れか１に記載の定置網の垣網。
【請求項４】
前記開口は、幅１〜３メートルの長方形としたことを特徴とする請求項１〜請求項３の何れか１に記載の定置網の垣網。
【請求項５】
前記開口の深さは、水深３０メートル以内又は垣網の底部の水深と同一にしたことを特徴とする請求項１〜請求項４の何れか１に記載の定置網の垣網。
【請求項６】
前記開口は、前記垣網の長さ方向に対して（２０〜５０）メートルごとに設けたことを特徴とする請求項１〜請求項５の何れか１に記載の定置網の垣網。
【請求項７】
前記カバー、ガイドは前記垣網と同一の網材を利用して形成したことを特徴とする請求項１〜請求項６の何れか１に記載の定置網の垣網。
【請求項８】
海流が流れている漁場に設置される定置網において、前記定置網の垣網を複数の区分に分割し、隣接する２つの区分のうち、海岸側区分の沖側縁辺部と沖側区分の海岸側縁辺部との間に巨大クラゲが通過できる開口を形成したことを特徴とする定置網の垣網。
【請求項９】
前記開口は、隣接する２つの区分のうち、海岸側区分の沖側縁辺部を海流の下流方向に曲げて配置し、又は、沖側区分の海岸側縁辺部を海流の上流方向に曲げて配置して形成したことを特徴とする請求項８に記載の定置網の垣網。
【請求項１０】
前記開口は、隣接する２つの区分のうち、海岸側区分の垣網を海流の上流方向に移動させて配置し、又は、沖側区分の垣網を海流の海流方向に移動させて配置して形成したことを特徴とする請求項８に記載の定置網の垣網。
【請求項１１】
前記隣接する区分の垣網において、海岸側区分の沖側端を含む縁部と前記沖側区分の海岸側端を含む縁部とが、海流の上流方向から見た場合に重複するように構成したことを特徴とする請求項９又は請求項１０の何れか１に記載の定置網の垣網。
【請求項１２】
海流が流れている漁場に設置される定置網において、前記定置網の垣網に沿って誘導されてきた巨大クラゲを溜めるための窪み部を該垣網に設けたことを特徴とする定置網の垣網。
【請求項１３】
前記窪み部に進入した巨大クラゲを下流方向に開放する開口を設けたことを特徴とする請求項１２に記載の定置網の垣網。
【請求項１４】
前記垣網に沿って誘導されてきた魚が前記窪み部に進入しないように該窪み部の上流側にカバーを設けたことを特徴とする請求項１２に記載の定置網の垣網。
【請求項１５】
前記開口の幅は１〜２メートルとした特徴とする請求項８〜請求項１４の何れか１に記載の定置網の垣網。
【発明の詳細な説明】
【技術分野】
【０００１】
この発明は、エチゼンクラゲ等の巨大クラゲが囲網の端口から進入するのを防止した定置網の垣網に関するものである。
【背景技術】
【０００２】
定置網（又は建網ともいう）は漁場に網を敷設し、回遊してきて網に迷い込んだ魚を漁獲する方法であり、日本における漁獲技術の１つとして従来から使用され、現在なおも採用されている漁獲方法である。日本近海には多くの海流（例えば、黒潮や親潮）が流れており、この海流に乗っていろいろな種類の魚、例えば、鰯、鰺、鯖、鰹、鮪、ブリや鮭等が回遊してくる。これは、小魚の餌となる動物プランクトンが海流により運ばれたり、潮境に寄せ集められたりして大発生し、それを求めて食物連鎖を構成する様々な大小の魚が集まってくる。
【０００３】
定置網の種類や構成及び敷設方法等については多くの文献やホームページ（以下、ＨＰと略記する）に開示されている。例えば、非特許文献１〜４に掲載されている。ここでは、図１３に標準的な大型定置網の１例を示す。図１３に示すように、定置網５０は垣網５１、囲網５２、袋網５３等から構成されている。なお、囲網５２、袋網５３を合わせて身網ということもある。囲網５２の内部には運動場と呼んでいるスペース５２ａと登網部と呼ばれているスペース５２ｂとが設けられている。定置網５０（垣網５１、囲網５２、袋網５３）の海中における固定は、定置網５０の上縁に設けられたロープに浮き（浮子）を設けて海面に浮かせ、更に固定用ロープ５４が浮子を取り付けた箇所で垂直に接続され、固定用ロープ５４の他端には海底に沈められた固定重り（沈子）５５に結ばれ、定置網５０を固定している。また、囲網５２には囲網入口（端口）５６が設けられ、端口５６の央部又は端部に垣網５１が接続され、垣網５１の他端は海岸の磯にまで延長している。垣網５１の全長は数十メートルから数百メートルに及ぶ。垣網５１の固定方法の１例を図１４に示す。図１４において、垣網５１の上縁には合成繊維又は鋼製のロープ６１が取り付けられ、ロープ６１に多数の浮子６２が固定されている。浮子６２によって垣網５１の上縁は水面上に保持される。一方、垣網５１の下縁には沈子６３が取り付けられ、垣網５１が海中で張られた状態を維持する。また、垣網５１の端口端は、他のロープ、例えば、囲網５６の上縁に設けられたロープ６４に結んで固定する。垣網５１の他端（陸地側端）は浮子６５、沈子６６を介して海底に固定する。
【０００４】
上記した構成により、海流に乗って回遊して来た魚が垣網５１に進路を遮られ、一部の魚が端口５６の方向に誘導される。誘導された魚は端口５６を通って囲網５２の内部に入る。その一部は運動場５２ａの内部で遊泳し、外部に逃げて行くが、他の一部は登網部５２ｂを登って、袋網５３へ進入する。袋網５３の入口は狭められ、かつ、段差が設けられているため、袋網５３に入った魚類は簡単に外部に脱出はできない。なお、袋網を設けた定置網を落し網と呼んでいる。袋網を２段に設けた２重落し網も開発されている。
【非特許文献１】野村正恒著、最新漁業技術一般、成山堂書店、１８０〜１９６頁、平成１２年４月出版
【非特許文献２】金田禎之著、日本の漁業と漁法、成山堂書店、７４〜８５頁、平成１７年６月出版
【非特許文献３】鈴木マリーンＨＰ、海の散歩道０３０２、釣師の通らない道Ｖｏｌ．１０、周辺の海の環境−９、定置網−４、定置網のしくみ
【非特許文献４】泉澤水産ＨＰ、定置網
【０００５】
垣網５１は回遊してきた魚群を誘導するものであり、魚群の行動を考慮して設置される。海流に乗ってきた魚は沖合から湾内に突入すると、先ず、等深線に沿って移動する。垣網５１はこれらの魚をできる限り多く端口５６方向に誘導するように張られている。即ち、図１５に示すように、沿岸付近では等深線と大体４０〜５０度の角度で交差し、垣網５１の中間、或いは身網６０近くでは等深線と直角に近づくように張立てる（非特許文献５参照）。
【非特許文献５】井上実著、漁具と魚の行動、第２章の２垣網に対する魚の行動、ＰＰ２９−４１、恒星社厚生閣刊
【０００６】
等深線に沿って移動してきた魚１７は垣網５１に遭遇すると図１６に示すように種々の方向（矢印Ｌ、Ｓ、Ｒ、Ｂ方向）に進路を変更する。網目を通過する（Ｓ方向）魚、端口５６方向（Ｌ方向）に進む魚、沿岸方向（Ｒ方向）に進む魚、元の方向（Ｂ方向）に引き返す魚がおり、必ずしも大半の魚がＬ方向に進む訳ではない。しかし、障害物に出会った魚は勾配が急であれば（等深線が密集している所では）遊泳層より深いところ（深み）、暗いところに沈降する傾向があることが実験的に認められている。そして、ここでは、Ｌ方向に進む魚の挙動のみが重要である。
【０００７】
さらに、端口５６方向に進む魚であっても、垣網５１に対する魚（又は魚群）の行動は魚種によって一様ではなく、垣網５１の材料と目合、垣網５１の姿勢と角度、魚の成群状態、周りの明るさなどにも影響される。例えば、図１７に示すように、ブリの場合は３０ｍ位の水深の層から垣網５１に接近し、垣網５１から１０ｍ位離れて垣網５１に沿って泳ぎ、黒鮪では昼間は１０〜１５ｍ離れるが夜間では５〜６ｍ位まで接近して泳ぐと言われている（非特許文献１）。
【０００８】
上記した定置網は海流に乗って回遊してくる魚類を捕獲する漁法であり、比較的に少ない労力で、しかも大量の魚類を捕獲することができ、種々の魚類に適用できる有力な漁法の１つであった。しかし、非特許文献６，７に示すように、近年、中国や韓国の沿岸でエチゼンクラゲが大量発生し、成長しながら海流（対馬暖流）に乗って日本海を北上し、日本海の沿岸にも来遊するという現象が頻発するようになってきた。日本海沿岸に来遊したエチゼンクラゲは定置網にも進入し、定置網漁業に大きな被害を与えている。図１８に示すように、成長したエチゼンクラゲの大きなものは、傘８１の直径（Ｄ）が１００ｃｍ以上にもなり、正常な個体では糸状付属器８２の長さ（Ｌ）は傘径Ｄの３〜５倍にもなる。また、重量も２００ｋｇにもなるために、エチゼンクラゲの入網により漁具の破損、操業効率の低下、操業海域の縮小、選別時間の増加、クラゲの触手による魚体の損傷（商品価値の低下）等の被害が生じている。なお、実際に遊泳している成長したエチゼンクラゲの糸状付属器８２は大部分が失われている。
【非特許文献６】島根県水産試験場ＨＰ、エチゼンクラゲについて
【非特許文献７】安田徹編、海のＵＨＯクラゲ、１１６−１２０頁、恒星社厚生閣
【０００９】
エチゼンクラゲの定置網への入網を防止する有効な手段は現在の所、まだ開発中である。提案された方法としては非特許文献８に開示されているものがある。図１９（Ａ）はこの垣網５１の構造を示し、図１９（Ｂ）はこの垣網５１の作用効果を示す。この垣網５１は垣網部５１ａの下側に目合の大きい捨て網部５１ｂを設けてエチゼンクラゲを通過させる仕組みになっている。具体的な実施例では、垣網部５１ａは海面から４１．５ｍの深さまで目合いが４５ｃｍの網を使用し、捨て網部５１ｂは垣網部５１ａの下部から海底（５５．５ｍの深さ）まで目合いが１５０ｃｍの網を使用している。また、設置方法は図示のように、海面から海底に向けて潮流に対して後方に斜めになるように張り立てる。移動してきたエチゼンクラゲは垣網５１の垣網部５１ａに遭遇すると垣網部５１ａに沿って潜り込み、捨て網部５１ｂから抜けて下流に向けて移動する。試験結果では魚類を逃がすことなくエチゼンクラゲだけを通過させることができたと報告している。しかし、この垣網５１には、以下のような問題点がある。即ち、直接に囲網５２の端口５６付近に到達したエチゼンクラゲは囲網５２、箱網５３の内部に入ってしまうおそれがあり、従来のような被害が発生する。また、エチゼンクラゲは薄明時刻の夕方や朝方、日中の天候が曇天時や小雨の場合等に海面に浮遊する性質があるが、これらの場合にも垣網に沿って潜り込み、捨て網部から抜けるか否かが疑問である。さらに、垣網は海底までの深さが４０ｍ以下の浅い場所にも設置されるが、この場合に捨て網部５１ｂを設けないと大量のクラゲが垣網５１に漂着して垣網５１が破損する等の不都合が生じるおそれもある。また、４０ｍ以上の深い海中を泳いでいる魚は捨て網部５１ｂの網目から抜けて逃げてしまうという問題もある。
【非特許文献８】島根県水産試験所ＨＰ、とびっくす（トビウオ通信号外）第７号、２−（２）定置網、平成１８年３月３０日発行
【発明の開示】
【発明が解決しようとする課題】
【００１０】
本願発明はこのような状況下でなされたものであり、比較的簡単な改良によってエチゼンクラゲ等の巨大クラゲの入網を排除し、魚を有効に捕獲する定置網を提供することを課題としている。
【課題を解決するための手段】
【００１１】
本発明は上記の課題を解決するために、回遊する魚類の性質とエチゼンクラゲ等の巨大クラゲの性質との相違を利用する。最も大きな相違の１つとして、エチゼンクラゲ等の巨大クラゲはプランクトンの一種であり、遊泳能力が弱いため、速い海流の流れに逆らえない生物であるのに対して、回遊魚類はネクストンであって、鮪のように海流に逆らって泳ぐ遊泳能力がある生物である（非特許文献９参照）。次に、第２番目の相違として、魚類は外界を認識できる眼（魚眼）を持っているが、エチゼンクラゲは外界を認識できる眼を持っていないことである。
【非特許文献９】久保田信他監修、クラゲのふしぎ、技術評論社、平成１８年９月１日発行
【００１２】
魚眼は図９（Ａ）に示すように、角膜７１、水晶体（レンズ）７２、靱帯７３、ガラス様体７４、網膜７５、虹彩７６、視神経７７等で構成されている。レンズ７２は水とほぼ同じ濃度の液体で満たされており、網膜７５に像を結ばせるためにレンズ７２の曲率が大きくなっている。魚は靱帯７３によってレンズ７２と網膜７５の距離をわずかに調節するだけで網膜７５上に像の焦点を結ばせる。魚のレンズ７２は球形で焦点距離が著しく短い。従って、約１ｍの範囲内の対象ならはっきりと識別できるが、視覚のとどく最高の距離は１５ｍ程度である。水の透明度が極めて良好な場合でも魚が物を認め得る距離は最大３０ｍ以下である。また、魚の目は、図９（Ｂ）に示すように凸形状の顔の両側に各々１個ずつ眼を持っており、両眼で１個の物を見るより、単眼視でそれぞれの眼が重なり合わない別々の像を見ることが多い。例えば、マスの成魚では、図１０に示すように、単眼視の水平視野（α）は約１６０度（なお、垂直視野は１５０度）である。また、両眼視（前方視）による水平視野（β）は２０〜３０度である。従って、魚は両眼視野の中では図１１に示すように、正確な距離を測り、物の形状を認識できるが、単眼視（側方視）の視野では両眼視の場合よりも遠くまで見えるけれども、物の形状は、はっきりせず、動きだけを感じる。従って、餌や外敵の動きは側方視で捕らえ、その形状の確認は（振り向いて）前方視でなされる。なお、前方視の視覚の届く範囲は最高でも１５メートル位である。
【非特許文献１０】井上実著、魚の行動と漁法、第３章「感覚」、恒星社厚生閣刊（１９７８）
【００１３】
一方、ミズクラゲの場合、眼は傘の縁辺部に眼点として存在するが、眼のレンズもなく、光の強弱は判別できても、人や魚のように物、例えば垣網の網自体を眼で見る（認識する）ことはできない。エチゼンクラゲについても同様と考えられる。しかし、傘の周縁部に無数の感覚器があり、ここで物を触覚により認識していると考えられている。
【００１４】
以上のことから従来の垣網５１に対する魚１７とエチゼンクラゲ１０の行動を比較すると図１７に示すようになる。即ち、湾内に突入した魚１７は等深線に沿って移動し、垣網５１に遭遇する。垣網５１に遭遇した魚１７は逃避的に垣網５１から数メートル（４〜５ｍ）〜２０メートル位離れて垣網５１に沿って沖方向へ移動し、端口５６から囲網（身網）６０内へ進入する。これに対して潮流に乗ってきたエチゼンクラゲ１０は垣網５１に遭遇すると近接した状態で垣網５１に沿って移動し、囲網（身網）６０内へ進入する。
【００１５】
魚１７が垣網５１に遭遇した場合、垣網５１は魚１７の移動方向と略直角に張られているために魚１７は垣網５１を両眼視でしっかりと確認することができる。従って、これを異物（通常海には存在しない異物）として認識し、逃避的に垣網５１から一定距離を離れて垣網５１に沿って沖方向（深み方向）へ移動する。しかし、垣網５１に沿って移動しているときは、特別な異変を感じない限り、魚１７は垣網５１を単眼視状態で側方視しているのであり、垣網５１をぼんやりとしか認識していない。
【００１６】
図１２は魚１７が垣網５１に沿って移動しているときの明視できる範囲を示す。図１２において、魚１７が垣網５１から距離Ｄを離れて移動する場合を示す。距離Ｄは数ｍから２０ｍ位である。一点鎖線７は両眼視の水平視野の中心線（視軸）で、この中心線７を挟んで両眼視の視野角度をβとした場合に点Ｐまでの距離をＸとし、点Ｐまでの長さをＬとする。距離Ｄが３（ｍ）〜１０（ｍ）の場合について距離Ｘと長さＬを求めると図１２の下表のようになる。この結果から理解できるように、魚１７が垣網５１に沿って移動する場合に魚１７が垣網５１を認識できるのは、水平視野角度が２０度の魚１７では垣網５１からの距離が３（ｍ）離れて移動する場合が限界であり、水平視野角度が３０度の魚１７でも垣網５１からの距離が５（ｍ）離れて移動する場合が限界である（距離Ｌが１５メートルを超えている）。以上の説明から魚１７が垣網５１に沿って移動している場合（単眼視の場合）は、垣網５１をはっきりと認識していないことが理解できる。
【００１７】
しかしながら、垣網５１は魚群１７の通路を遮断して身網の方向へ誘導するためのものであり、魚類１７にとって見えやすい黄色や藁色等が使用されている。また、海流が垣網５１当たって生じる低周波音（１００〜１０００Ｈｚ）も感じることができる。従って、垣網５１に大きな開口を設けると、魚類１７がその開口に気付いて開口を通過して逃げてしまうおそれがある。そこで、本願発明は以下の構成を採用している。
【００１８】
請求項１に記載の発明は、海流が流れている漁場に設置される定置網において、前記定置網の垣網に巨大クラゲが下流に向かって通過する開口を設けると共に該開口に巨大クラゲを誘導するガイドを設けたことを特徴としている。
本発明は巨大クラゲの入網を確実に排除することを主目的としている。
【００１９】
請求項２に記載の発明は、請求項１に記載の発明において、前記開口にカバーを設けて前記垣網に沿って移動する魚が該開口を気付かないか、或いは注視しないようにしたことを特徴としている。
本発明はガイド網と共にカバー網を設けて、魚類が開口に気付いて垣網から下流に逃げてしまうことを防止することを主目的としている。
【００２０】
請求項３に記載の発明は、請求項１又は請求項２に記載の発明において、前記開口は、海面近傍から正常な巨大クラゲが遊泳する深さまでとしたことを特徴としている。
【００２１】
請求項４に記載の発明は、請求項１〜請求項３に記載の発明において、前記開口は、幅１〜３メートルの長方形としたことを特徴としている。
【００２２】
請求項５に記載の発明は、請求項１〜請求項４に記載の発明において、前記開口の深さは、水深３０メートル以内又は垣網の底部の水深と同一にしたことを特徴としている。
【００２３】
請求項６に記載の発明は、請求項１ 〜請求項５に記載の発明において、前記開口を前記垣網の長さ方向に対して（２０〜５０）メートルごとに設けたことを特徴としている。
【００２４】
請求項７に記載の発明は、請求項１〜請求項６に記載の発明において、前記カバー部、ガイド部は前記垣網の網材と同一の網材を利用して形成したことを特徴としている。
【００２５】
請求項８に記載の発明は、海流が流れている漁場に設置される定置網において、前記定置網の垣網を複数の区分に分割し、隣接する２つの区分のうち、海岸側区分の沖側縁辺部と沖側区分の海岸側縁辺部との間に巨大クラゲが通過できる開口を形成したことを特徴としている。
【００２６】
請求項９に記載の発明は、請求項８に記載の発明において、前記開口は、隣接する２つの区分のうち、海岸側区分の沖側縁辺部を海流の下流方向に曲げて配置し、又は、沖側区分の海岸側縁辺部を海流の上流方向に曲げて配置して形成したことを特徴としている。
【００２７】
請求項１０に記載の発明は、請求項８に記載の発明において、前記開口は、隣接する２つの区分のうち、海岸側区分の垣網を海流の上流方向に移動させて配置し、又は、沖側区分の垣網を海流の海流方向に移動させて配置して形成したことを特徴としている。
【００２８】
請求項１１に記載の発明は、請求項９又は請求項１０に記載の発明において、前記隣接する区分の垣網において、海岸側区分の沖側端を含む縁部と前記沖側区分の海岸側端を含む縁部とが、海流の上流方向から見た場合に重複するように構成したことを特徴としている。
【００２９】
請求項１２に記載の発明は、海流が流れている漁場に設置される定置網において、前記定置網の垣網に沿って誘導されてきた巨大クラゲを溜めるための窪み部を該垣網に設けたことを特徴としている。
【００３０】
請求項１３に記載の発明は、請求項１２に記載の発明において、前記窪み部に進入した巨大クラゲを下流方向に開放する開口を設けたことを特徴としている。
【００３１】
請求項１４に記載の発明は、請求項１２に記載の発明において、前記垣網に沿って誘導されてきた魚が前記窪み部に進入しないように該窪み部の上流側にカバーを設けたことを特徴としている。
【００３２】
請求項１５に記載の発明は、請求項８〜請求項１４に記載の発明において、前記開口の幅は１〜２メートルとした特徴としている。
【発明の効果】
【００３３】
本願の発明によれば、海流に乗って回遊し、定置網に進入するエチゼンクラゲクラゲ等の巨大クラゲを垣網の下流側に逃がすようにしたので、巨大クラゲによる被害をなくし、或いは大幅に減少させて、魚類を有効に捕獲することができるという効果が得られる。
【発明を実施するための最良の形態】
【００３４】
＜実施形態１＞
図１は、本発明を実施する実施形態１の上流側から見た垣網の正面斜視図を示す。図２は垣網１１のガイド１３並びにカバー１４の上から見た平面図を示す。図１において、垣網１１の上側（海面側）ロープ７には複数の浮子８が設けられ、浮子８からロープにより沈子６が海底に載置され、網部６が張られた状態で固定される。網部６は海中の魚群の通路を遮断するように張られる。このため、網部６は、見えやすい黄色や藁色等の網糸が使用される。網部６の適当な箇所に、図１に示すように、巨大クラゲ１０を逃がすための開口１２を設ける。
【００３５】
開口１２は、幅は（１〜３）メートルで、縦長さは略海面の位置（例えば、海面下０〜３メートル）から適当な深さ位置（例えば、３０メートル）又は海底の深さ位置（浅い海底の場所では）までの矩形で構成されている。開口１２は網部６の横方向長さに対して巨大クラゲ１０の来遊する数を考慮して適切な個数を設ける。例えば、網部６の横長さ（３０〜５０）メートルにつき１個の割合で開口１２を設ける。垣網１１の上流側に来遊した巨大クラゲ１０を適宜下流側に開放するためである。
【００３６】
開口１２の沖側に巨大クラゲ１０を誘導するためのガイド１３が設けられている。ガイド１３はガイド面の縁部をロープで縁取りし、内側にガイド網１３ｎを張る。ガイド網１３ｎは網部９と同じ網糸、網目で構成してもよい。ガイド１３の上縁には略「コ」字形状の浮棒１３ａを取付けて、両端をロープ等で浮子８に固定する。ガイド網１３ｎは、浮棒１３ａの入口側を除いて、ガイド面に張る。ガイド網１３ｎの下縁には沈み棒１３ｃを設けて、沈み棒１３ｃの適宜な箇所に重り１３ｄを設けて海底に固定する。なお、ガイド面は開口１２の幅に比べて大きく（２倍程度に）する。垣網１１に沿って泳ぐ魚に対して開口１２がガイド網１３ｎの陰になって直接見えないようにするためである。また、ガイド１３の出口側（図の右側）縁を垣網１１に接続して巨大クラゲ１０を確実に開口１２に導くようにするのが好ましい。
【００３７】
ガイド１３の入口から岸方向に適当な距離（２〜４メートル）離れた位置にカバー１４を設ける。カバー１４は、垣網１１に沿って（特に、垣網１１に近接しながら）沖方向に移動する魚１７にとって開口１２の発見を困難にして、魚１７が開口１２から下流方向に逃げて行くのを防止する。カバー１４はカバー面の縁部をロープで縁取りし、内側にカバー網１４ｎを張る。カバー面の上側縁にＶ字型の浮棒１４ａを設けて、その両端をロープ７に設けられた浮子８に固定する。なお、カバー面は浮棒１４ａ岸側面の片面に設ける。また、カバー面の下縁に沈み棒１４ｃを設けて、沈み棒１４ｃの適宜な箇所に重り１４ｄを設けて海底に固定する。
【００３８】
図２で、魚１７と巨大クラゲ１０が沖方向に移動する状況の説明図を示す。図２におけるように、垣網１１の開口１２の沖側の辺を点Ｇ０とし、開口の岸側の辺をＦとする。距離Ｗ（Ｆ、Ｇ０）は開口１２の幅を示す。折れ線（Ｇ０，Ｇ１，Ｇ２）はガイド１３の網部１３ｎを上から見た線である。また、直線（Ｃ０，Ｃ１）はカバー１４の網部１４ｎを上から見た直線である。ガイド網１３ｎの水平距離Ｌは点Ｇ０と点Ｇ２の水平距離（Ｇ０，Ｇ２）で、ガイド網１３ｎの先端Ｇ２とカバー網１３ｎの先端Ｃ１との水平距離をＢとする。また、一点鎖線１７ｓは魚１７が沖方向に進むラインである。距離Ｄは垣網１１とライン１７ｓとの距離である。なお、点Ｇ２は点Ｇ１の垣網１１からの距離と等しいか、遠くの点を選ぶ。
【００３９】
図２は、幅Ｗを２．５メートル、距離Ｌを４メートル、距離Ｂを２．２５メートル、距離Ｄを５メートル、巨大クラゲ１０の傘径を１メートルとした場合の縮尺図を示している。図２において、巨大クラゲ１０は岸方向から沖方向に（左から右に）移動する。先ず、巨大クラゲ１０はカバー網１４ｎに遭遇し、網１４ｎに沿って、１．５メートルほど上流に向かう。しかし、点Ｃ１から下流方向に向かって移動し、点Ｇ２を通過するときには垣網１１に十分に接近しており、更に右方向に移動するとガイド網１３ｎに従って開口１２に到達し、開口１２から下流に向かって移動する。
【００４０】
一方、魚１７はカバー網１４ｎに気付けば少し上流方向（図の上方向）に移動するが、気付かない場合はそのままライン１７ｓ上を移動する。従って、魚１７にとっては開口１２が直接見えず、ガイド網１３ｎを通してしか見えない。魚１７はライン１７ｓ上を移動しているときは、敵に追われているとかの特別の事情がないかぎり、単眼視で垣網１１を見ているために距離感がなく、ぼんやりとしか見えないため、垣網１１とガイド網１３ｎ、カバー網１４ｎとの区別は認識できない。従って、魚１７は開口１２に注意を払わずに端口５６方向に移動する。逆に、巨大クラゲ１０は垣網１１に沿って端口方向に移動し、開口１２から開放されて下流に向かうために端口５６に到達しない。
【００４１】
以上に述べたように、巨大クラゲ１０を開口１２から確実に下流方向に通過させ、同時に魚１７に開口１２を気付かせないようにガイド１３，カバー１４を構成する。
【００４２】
＜実施形態１の変更例＞
図３及び図４の（Ａ）〜（Ｄ）は、上記実施形態のガイド１３，カバー１４の変更例を示す。図（Ａ）はカバー１４を湾曲状にして沖方向に延長し、ガイド１３を垣網１１の上流方向に突き出るように形成し、ガイド機能を完全にすると共に、下流方向にもガイド１３延長して開口１２を気付き難くさせた例である。図（Ｂ）はカバー１４を省略し、ガイド１３を垣網１１の下流側に設けた例である。この例では、魚１７が開口１２を通過するまでは、距離感がないために、ガイド１３と垣網１１とを誤認識し、開口１２から相当距離沖側に進んだところで開口１２の一部がぼんやり見えるだけなので魚１７はそのまま沖方向に移動する。また、図（Ｃ）は開口１２の上流にガイド１３を平行に、又は少し傾斜させて設けた例である。図（Ｄ）はカバー１４を省略した例である。
【００４３】
＜実施形態２＞
図５は請求項８、請求項９に対応する実施形態である。図５において、垣網２１を複数の区間（区分）に分割し、分割した隣接区分の境界に開口２２を設ける。即ち、分割した境界点Ｐの海岸側区分の沖側端点Ａを海流の下流側方向に曲げて移動させ、沖側区分の海岸側端点Ｂを上流側方向に曲げて配置し、垣網２１の点Ｐに開口２２を設ける。開口２２は点Ａと点Ｂを結んだ点線の直線で示す。この場合の開口の幅は距離（Ａ，Ｂ）ではなく点Ａを含んだ縁部（曲線）と点Ｂを含んだ縁部（曲線）間の距離である。なお、点Ａを含む縁部と点Ｂを含む縁部は海流の流れ方向から見た場合に両縁部が重複するようにしてもよい。
この場合の垣網の固定方法は、まず、垣網２１を元の曲線に沿って固定する。次に、開口２２は直線（Ａ、Ｂ）をロープで張架し、点Ａ及び点Ｂにロープを結び、そのロープに沈子を結んで固定する。
【００４４】
実施形態２は上記の構成により、海流に乗って回遊してきたエチゼンクラゲ１０は垣網２１に接近すると、進路を変えて垣網２１に沿って沖方向に移動する。このとき、エチゼンクラゲ１０は開口２２を通過して海流の下流方向に向けて遊泳（脱出）する。一方海流に乗ってきた魚類１７は垣網２１に接近すると、垣網２１から数メートないし十数メートル離れて垣網２１に沿って沖方向に移動する。従って、魚類１７は開口２２を発見できずそのまま進行し、端口１６から囲網１５の内部に進入する。
【００４５】
＜実施形態２の変更例＞
図６、図７は請求項１０に対応する実施形態で、実施形態２を変更した例である。図６において、図の点線のように張られた垣網３１を複数の区分に分割し、海岸側に最も近い区分３１ａは元の位置に配置し、それに隣接する区分３１ｂ、３１ｃ、・・を順次海流の上流側に移動させて開口３２ａ、３２ｂ、３２ｃ、・・を形成する。なお、この場合においても、区分の端点を延長して、海流の流れ方向から見たときに重複するようにしてもよい。開口３２ａ、３２ｂ、・・・の各幅は当地に来襲するエチゼンクラゲの大きさを考慮して（１〜２）メートルとする。なお、略１．５メートル程度とするのが好ましい。
【００４６】
図６は垣網３１（３１ａ、３１ｂ、・・・）の固定方法の例を示す。図６において、垣網３１の上縁にステップ状にしたロープ３３を設け、ロープ３３に多数の浮子を設けて垣網３１（３１ａ、３１ｂ、・・・）の上縁を海面に保持すると共に、ロープ３３の全ての折点（角）を沈子によって海底に固定する。また、垣網３１（３１ａ、３１ｂ、・・・）の下縁にも従来技術と同様に沈子を設ける。
【００４７】
実施形態２は上記の構成により、海流に乗って回遊してきたエチゼンクラゲ１０は垣網２１（又は３１、以下同じ）に接近すると、進路を変えて垣網２１に沿って沖方向に移動する。このとき、エチゼンクラゲ１０は開口２２（又は３２）を通過して海流の下流方向に向けて遊泳（脱出）する。一方海流に乗ってきた魚類１７は垣網２１に接近すると、垣網２１から数メートないし十数メートル離れて垣網２１に沿って沖方向に移動する。従って、魚類１７は開口２２を通過することはできず、端口１６から囲網１５の内部に進入する。
【００４８】
＜実施形態３＞
図８は本発明の請求項１２〜請求項１４に対応する実施形態３の平面図を示す。図８において、垣網４１は従来の垣網５１と略同様に張られる。従来の垣網５１と異なる点は、垣網４１の途中に１個又は複数個の窪み部４２を設けた点である。窪み部４２は図示のように、海流の下流側に凹んでいる。窪み部４２の間口（入口）ＡＢの幅は垣網４１に沿って移動してきたエチゼンクラゲ１０が窪み部４２に入ってしまう程度に広く（例えば、数メートル）する。また、窪み部４２の奥行きは窪み部４２の奥まで進入したチゼンクラゲ１０が出口側の点Ｂから上流に向かって簡単に脱出できないようにする。また、垣網４１の固定方法は、間口ＡＢを直線で結んだ垣網４１の上縁にロープを設けて、該ロープを従来技術と同様に固定し、該ロープの点Ａ、点Ｂに窪み部４２の両端を固定し、窪み部４２の垣網を所定の形状に合わせて固定する。
【００４９】
さらに、窪み部４２の下流側底部に開口４３を設けてエチゼンクラゲ１０が垣網４１の下流側に脱出できるようにする。これによって、窪み部４２に溜まったエチゼンクラゲ１０の一部は適宜に垣網４１の下流方向に脱出し、他の一部が窪み部４２に留まる。このため、魚類１７はエチゼンクラゲ１０を嫌って窪み部４２に進入しない。更に、窪み部４２の上流側に適度の長さのカバー４４を設ける。カバー４４の海岸側端点Ｃと点Ａとの距離は１．５メートル以上とし、沖側端点Ｄは点Ｂと一致させてもよい。この場合、エチゼンクラゲ１０は確実に窪み部４２に進入する。一方、魚類１７は窪み部４２に進入せずに、カバー４４の上流側に沿って端口１６から囲網１５の内部に進入する。
【００５０】
実施形態３は上記の構成により、海流に乗って回遊してきたエチゼンクラゲ１０は垣網３１に接近すると、進路を変えて垣網４１に沿って沖方向に移動する。このとき、エチゼンクラゲ１０は窪み部４２に溜まる。溜まったエチゼンクラゲ１０は開口４３を通過して海流の下流方向に向けて遊泳（脱出）する。一方海流に乗ってきた魚類１７は垣網４１に接近すると、垣網４１から数メートないし十数メートル離れて垣網４１に沿って沖方向に移動する。従って、魚類１７は窪み部４２の上流側を垣網４１及びカバー４４に沿って移動し、端口１６から囲網１５の内部に進入する。
【００５１】
以上に説明したように、本実施形態１〜実施形態３の定置網によれば、海流に乗って魚類１７とエチゼンクラゲ１０が一緒に回遊して来た場合にも、エチゼンクラゲ１０は囲垣網１５の内部に進入せず、魚類１７のみが囲網１５の内部に進入する。従って、魚類１７のみを捕獲できるという効果がある。また、エチゼンクラゲ１０を下流方向に放出するので、エチゼンクラゲ１０による被害（囲網の破損等）を防止することもできる。
【００５２】
以上本発明の実施形態を図面に基づいて詳述してきたが、本発明の技術的範囲はこれに限られるものではない。例えば、上記実施形態では片端口の場合を説明したが、両端口を採用した場合も本発明の技術的範囲に属する。また、垣網の固定方法は上記実施形態に述べた方法に限定されない。囲網や箱網等の敷設方法や位置についても同様である。また、上記実施形態では落とし網の場合について述べてきたが、本発明の技術的範囲はこれに限られず、他の形式の定置網やサイズの異なる中型又は小型の定置網にも適用される。
【図面の簡単な説明】
【００５３】
【図１】本発明を実施した実施形態１の正面図を示す。
【図２】実施形態１の平面図を示す。
【図３】実施形態１の変更例の平面図を示す。
【図４】実施形態１の変更例の平面図を示す。
【図５】実施形態２の全体平面図を示す。
【図６】実施形態２の変更例の平面図を示す。
【図７】実施形態２の固定例を示す。
【図８】実施形態３の平面図を示す。
【図９】（Ａ）魚眼の構造を示す。（Ｂ）魚の両眼の配置を示す。
【図１０】魚の両眼視の水平視野と単眼視の水平視野を示す。
【図１１】魚の両眼視と単眼視の見え方を示す。
【図１２】魚の明視の範囲を示す。
【図１３】標準的な定置網の構成例を示す。
【図１４】垣網の構成例を示す。
【図１５】魚群の行動と等深線の関係を示す。
【図１６】魚群の垣網に対する行動パターンを示す。
【図１７】垣網に対する魚群の行動と巨大クラゲの行動を示す。
【図１８】成長したエチゼンクラゲの構成を示す。
【図１９】従来のエチゼンクラゲの入網を防止した垣網を示す。
【符号の説明】
【００５４】
１０                        エチゼンクラゲ等の巨大クラゲ
１１、２１、３１、４１、５１  垣網
１２、２２，３２、４３      垣網の開口
１３                        ガイド
１４、４４                  カバー
１５                        囲網
１６、５６                  端口
１７                        魚類
４２                        窪み部
【図１】
2008228723.tif 000003
【図２】
2008228723.tif 000004
【図３】
2008228723.tif 000005
【図４】
2008228723.tif 000006
【図５】
2008228723.tif 000007
【図６】
2008228723.tif 000008
【図７】
2008228723.tif 000009
【図８】
2008228723.tif 000010
【図９】
2008228723.tif 000011
【図１０】
2008228723.tif 000012
【図１１】
2008228723.tif 000013
【図１２】
2008228723.tif 000014
【図１３】
2008228723.tif 000015
【図１４】
2008228723.tif 000016
【図１５】
2008228723.tif 000017
【図１６】
2008228723.tif 000018
【図１７】
2008228723.tif 000019
【図１８】
2008228723.tif 000020
【図１９】
2008228723.tif 000021
【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
海流が流れている漁場に設置される定置網の垣網において、前記垣網の上流から下流に向かって巨大クラゲが通過する開口を該垣網に設け、該開口に巨大クラゲを誘導すると共に該垣網に沿って端口方向に移動する魚に該開口を気付かせないようにするカバー機能を有するガイド網部を設けたことを特徴とする定置網の垣網。
【請求項２】
前記ガイド網部の入り口側方向にカバー機能を補強するためのカバー網部を設けたことを特徴とする請求項１に記載の定置網の垣網。
【請求項３】
前記開口は、海面近傍から正常な巨大クラゲが遊泳する深さまでとしたことを特徴とする請求項１又は請求項２の何れか１に記載の定置網の垣網。
【請求項４】
前記開口は、幅１〜３メートルの長方形としたことを特徴とする請求項１〜請求項３の何れか１に記載の定置網の垣網。
【請求項５】
前記開口の下端深さは、水深３０メートル以内又は垣網の底部の水深と同一にしたことを特徴とする請求項１〜請求項４の何れか１に記載の定置網の垣網。
【請求項６】
前記開口は、前記垣網の長さ方向に対して（２０〜５０）メートルの間隔で複数個設けたことを特徴とする請求項１〜請求項５の何れか１に記載の定置網の垣網。
【請求項７】
前記ガイド網部、前記カバー網部は前記垣網と同一の網材で構成したことを特徴とする請求項１〜請求項６の何れか１に記載の定置網の垣網。
【請求項８】
海流が流れている漁場に設置される定置網の垣網において、前記垣網を複数の区分に分割し、隣接する２つの区分のうち、海岸側区分の沖側縁辺部と沖側区分の海岸側縁辺部との間に巨大クラゲが通過できる開口を形成すると共に前記海岸側区分の沖側端を含む縁部と前記沖側区分の海岸側端を含む縁部とが、海流の上流方向から見た場合に重複するように構成して、前記垣網に沿って端口方向に移動する魚に該開口を気付かせないようにしたことを特徴とする定置網の垣網。
【請求項９】
前記開口は、隣接する２つの区分のうち、海岸側区分の沖側縁辺部を海流の下流方向に曲げて配置し、又は、沖側区分の海岸側縁辺部を海流の上流方向に曲げて配置して形成したことを特徴とする請求項８に記載の定置網の垣網。
【請求項１０】
前記開口は、隣接する２つの区分のうち、海岸側区分の垣網を海流の上流方向に移動させて配置し、又は、沖側区分の垣網を海流の下流方向に移動させて配置して形成したことを特徴とする請求項９に記載の定置網の垣網。
【請求項１１】
海流が流れている漁場に設置される定置網において、前記定置網の垣網に沿って誘導されてきた巨大クラゲを溜めるための窪み部を該垣網に設け、前記窪み部に進入した巨大クラゲを下流方向に開放する開口を設けると共に前記垣網に沿って誘導されてきた魚が前記窪み部に進入しないように該窪み部の上流側にカバー網を設けたことを特徴とする定置網の垣網。
【請求項１２】
前記開口の幅は１〜３メートルとした特徴とする請求項７〜請求項１１の何れか１に記載の定置網の垣網。
【手続補正２】
【補正対象書類名】明細書
【補正対象項目名】００１８
【補正方法】変更
【補正の内容】
【００１８】
請求項１に記載の発明は、海流が流れている漁場に設置される定置網の垣網において、前記垣網の上流から下流に向かって巨大クラゲが通過する開口を該垣網に設け、該開口に巨大クラゲを誘導すると共に該垣網に沿って端口方向に移動する魚に該開口を気付かせないようにするカバー機能を有するガイド網部を設けたことを特徴としている。
本発明は巨大クラゲの入網を排除すると共に、魚類が開口に気付いて垣網に設けた開口から下流に逃げてしまうのを防止することを主目的としている。
【手続補正３】
【補正対象書類名】明細書
【補正対象項目名】００１９
【補正方法】変更
【補正の内容】
【００１９】
請求項２に記載の発明は、請求項１に記載の発明において、前記ガイド部の入り口側方向にカバー機能を補強するためのカバー網部を設けたことを特徴としている。
本発明はカバー網部を設けて、魚類が開口に気付いて垣網から下流に逃げてしまうのを確実かつ容易に防止することを主目的としている。
【手続補正４】
【補正対象書類名】明細書
【補正対象項目名】００２０
【補正方法】変更
【補正の内容】
【００２０】
請求項３に記載の発明は、請求項１、請求項２に記載の発明において、前記開口は、海面近傍から正常な巨大クラゲが遊泳する深さまでとしたことを特徴としている。
【手続補正５】
【補正対象書類名】明細書
【補正対象項目名】００２１
【補正方法】変更
【補正の内容】
【００２１】
請求項４に記載の発明は、請求項１〜請求項３に記載の発明において、前記開口は、幅１〜３メートルの長方形としたことを特徴としている。
【手続補正６】
【補正対象書類名】明細書
【補正対象項目名】００２２
【補正方法】変更
【補正の内容】
【００２２】
請求項５に記載の発明は、請求項１〜請求項４に記載の発明において、前記開口の下端深さは、水深３０メートル以内又は垣網の底部の水深と同一にしたことを特徴としている。
【手続補正７】
【補正対象書類名】明細書
【補正対象項目名】００２３
【補正方法】変更
【補正の内容】
【００２３】
請求項６に記載の発明は、請求項１〜請求項５に記載の発明において、前記開口は、前記垣網の長さ方向に対して（２０〜５０）メートルの間隔で複数個設けたことを特徴としている。
本発明は垣網の上流側に滞留する巨大クラゲを適宜下流側に逃がしてやることを主目的としている。
【手続補正８】
【補正対象書類名】明細書
【補正対象項目名】００２４
【補正方法】変更
【補正の内容】
【００２４】
請求項７に記載の発明は、請求項１〜請求項６に記載の発明において、前記ガイド網部、前記カバー網部は前記垣網と同一の網材で形成したことを特徴としている。
【手続補正９】
【補正対象書類名】明細書
【補正対象項目名】００２５
【補正方法】変更
【補正の内容】
【００２５】
請求項８に記載の発明は、海流が流れている漁場に設置される定置網において、前記定置網の垣網を複数の区分に分割し、隣接する２つの区分のうち、海岸側区分の沖側縁辺部と沖側区分の海岸側縁辺部との間に巨大クラゲが通過できる開口を形成すると共に前記海岸側区分の沖側端を含む縁部と前記沖側区分の海岸側端を含む縁部とが、海流の上流方向から見た場合に重複するように構成して、前記垣網に沿って端口方向に移動する魚に該開口を気付かせないようにしたことを特徴としている。
本発明は巨大クラゲの入網を排除すると共に、魚類が開口に気付いて垣網に設けた開口から下流に逃げてしまうのを防止することを主目的としている。
【手続補正１０】
【補正対象書類名】明細書
【補正対象項目名】００２６
【補正方法】変更
【補正の内容】
【００２６】
請求項９に記載の発明は、請求項８に記載の発明において、前記開口は、隣接する２つの区分のうち、海岸側区分の沖側縁辺部を海流の下流方向に曲げて配置し、又は、沖側区分の海岸側縁辺部を海流の上流方向に曲げて配置して形成したことを特徴としている。
【手続補正１１】
【補正対象書類名】明細書
【補正対象項目名】００２７
【補正方法】変更
【補正の内容】
【００２７】
請求項１０に記載の発明は、請求項８に記載の発明において、前記開口は、隣接する２つの区分のうち、海岸側区分の垣網を海流の上流方向に移動させて配置し、又は、沖側区分の垣網を海流の海流方向に移動させて配置して形成したことを特徴としている。
【手続補正１２】
【補正対象書類名】明細書
【補正対象項目名】００２８
【補正方法】変更
【補正の内容】
【００２８】
請求項１１に記載の発明は、海流が流れている漁場に設置される定置網の垣網において、前記垣網に沿って誘導されてきた巨大クラゲを溜めるための窪み部を該垣網に設け、前記窪み部に進入した巨大クラゲを下流方向に開放する開口を設けると共に前記垣網に沿って誘導されてきた魚が前記窪み部に進入しないように該窪み部の上流側にカバー網を設けたことを特徴としている。
【手続補正１３】
【補正対象書類名】明細書
【補正対象項目名】００２９
【補正方法】変更
【補正の内容】
【００２９】
請求項１２に記載の発明は、請求項８〜請求項１１に記載の発明において、前記開口の幅は１〜３メートルとした特徴としている。
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
海流が流れている漁場に設置される定置網の垣網において、前記垣網の上流から下流に向かって巨大クラゲが通過する開口を該垣網に設け、該開口に巨大クラゲを誘導すると共に該垣網に沿って端口方向に移動する魚に該開口を通して直接に該垣網の反対側の景色が見えないようにするカバー機能を有するガイド網部を設けたことを特徴とする定置網の垣網。
【請求項２】
前記ガイド網部の入り口側方向にカバー機能を補強するためのカバー網部を設けたことを特徴とする請求項１に記載の定置網の垣網。
【請求項３】
前記開口は、海面近傍から正常な巨大クラゲが遊泳する深さまでとしたことを特徴とする請求項１又は請求項２の何れか１に記載の定置網の垣網。
【請求項４】
前記開口は、幅１〜３メートルの長方形としたことを特徴とする請求項１〜請求項３の何れか１に記載の定置網の垣網。
【請求項５】
前記開口の下端深さは、水深３０メートル以内又は垣網の底部の水深と同一にしたことを特徴とする請求項１〜請求項４の何れか１に記載の定置網の垣網。
【請求項６】
前記開口は、前記垣網の長さ方向に対して（２０〜５０）メートルの間隔で複数個設けたことを特徴とする請求項１〜請求項５の何れか１に記載の定置網の垣網。
【請求項７】
前記ガイド網部、前記カバー網部は前記垣網と同一の網材で構成したことを特徴とする請求項１〜請求項６の何れか１に記載の定置網の垣網。
【請求項８】
海流が流れている漁場に設置される定置網の垣網において、前記垣網を複数の区分に分割し、隣接する２つの区分のうち、海岸側区分の沖側縁辺部と沖側区分の海岸側縁辺部との間に巨大クラゲが通過できる開口を形成すると共に前記海岸側区分の沖側端を含む縁部と前記沖側区分の海岸側端を含む縁部とが、海流の上流方向から見た場合に重複するように構成して、前記垣網に沿って端口方向に移動する魚に該開口を通して直接に該垣網の反対側の景色が見えないようにしたことを特徴とする定置網の垣網。
【請求項９】
前記開口は、隣接する２つの区分のうち、海岸側区分の沖側縁辺部を海流の下流方向に曲げて配置し、又は、沖側区分の海岸側縁辺部を海流の上流方向に曲げて配置して形成したことを特徴とする請求項８に記載の定置網の垣網。
【請求項１０】
前記開口は、隣接する２つの区分のうち、海岸側区分の垣網を海流の上流方向に移動させて配置し、又は、沖側区分の垣網を海流の下流方向に移動させて配置して形成したことを特徴とする請求項９に記載の定置網の垣網。
【請求項１１】
海流が流れている漁場に設置される定置網において、前記定置網の垣網に沿って誘導されてきた巨大クラゲを溜めるための窪み部を該垣網に設け、前記窪み部に進入した巨大クラゲを下流方向に開放する開口を設けると共に前記垣網に沿って誘導されてきた魚が前記窪み部に進入しないように該窪み部の上流側にカバー網を設けたことを特徴とする定置網の垣網。
【請求項１２】
前記開口の幅は１〜３メートルとした特徴とする請求項７〜請求項１１の何れか１に記載の定置網の垣網。
【手続補正２】
【補正対象書類名】明細書
【補正対象項目名】００１８
【補正方法】変更
【補正の内容】
【００１８】
請求項１に記載の発明は、海流が流れている漁場に設置される定置網の垣網において、前記垣網の上流から下流に向かって巨大クラゲが通過する開口を該垣網に設け、該開口に巨大クラゲを誘導すると共に該垣網に沿って端口方向に移動する魚に該開口を通して直接に該垣網の反対側の景色が見えないようにするカバー機能を有するガイド網部を設けたことを特徴としている。
本発明は巨大クラゲの入網を排除すると共に、魚類が開口に気付いて垣網に設けた開口から下流に逃げてしまうのを防止することを主目的としている。
【手続補正３】
【補正対象書類名】明細書
【補正対象項目名】００２５
【補正方法】変更
【補正の内容】
【００２５】
請求項８に記載の発明は、海流が流れている漁場に設置される定置網において、前記定置網の垣網を複数の区分に分割し、隣接する２つの区分のうち、海岸側区分の沖側縁辺部と沖側区分の海岸側縁辺部との間に巨大クラゲが通過できる開口を形成すると共に前記海岸側区分の沖側端を含む縁部と前記沖側区分の海岸側端を含む縁部とが、海流の上流方向から見た場合に重複するように構成して、前記垣網に沿って端口方向に移動する魚に該開口を通して直接に該垣網の反対側の景色が見えないようにしたことを特徴としている。
本発明は巨大クラゲの入網を排除すると共に、魚類が開口に気付いて垣網に設けた開口から下流に逃げてしまうのを防止することを主目的としている。